(57)【要約】【課題】汚物が外部に飛散することを防止しつつ扱うことができ、排便や嘔吐の直後に直立状態に自立させておくことができる非常時用汚物収容袋の提供。【解決手段】合成樹脂フィルムにより筒状に形成された筒状胴部１１の両側縁を所定の幅だけシールすることにより一対の側縁リブ部１４を一体に備え、筒状胴部内の底部を閉鎖するとともに拡開するマチ１６を形成した底面部フィルム１３を備え、筒状胴部下端縁には、所定幅の底縁リブ部１７を一体に備え、筒状胴部の上端開口部内には、該開口部を気液密に閉鎖する気液密性ファスナー２０を備えるとともに気液密性ファスナーより外側に、汚物収容時に開口部を所定形状に維持させるための開口部形成材３０を一体に備える。【選択図】図１
0003190729.tif 000002
【実用新案登録請求の範囲】
【請求項１】
合成樹脂フィルムにより筒状に形成された筒状胴部を有し、
該筒状胴部は、前面部フィルムと後面部フィルムを前後に重ねて両側縁を所定の幅だけシールすることにより一対の側縁リブ部を一体に有し、
前記全後面部フィルムの下端部内には、前記筒状胴部内の底部を閉鎖するとともに該底部が拡開するマチを形成した底面部フィルムを有し、
前記前後面部フィルムの下端縁には、前記底面部フィルムと一体にシールすることによって所定幅の底縁リブ部が一体に形成され、
前記筒状胴部の上端開口部内には、該開口部を気液密に閉鎖する気液密性ファスナーを備え、
且つ、前記筒状胴部の開口部内には前記気液密性ファスナーより外側に、汚物収容時に開口部を所定形状に維持させるための開口部形成材を一体に備え、
前記筒状胴部内に流動性のある汚物が収容されることによって底面部フィルムのマチ部分及び筒状胴部内が広がり、前記側縁部シール部及び底縁リブ部の強度によって自立する非常時用汚物収容袋。
【請求項２】
前記筒状胴部は、前記前後面部フィルム間に底面部フィルムが連続配置に備えられた帯状フィルム材によって形成され、前記前後面部フィルムの間にある底面部フィルムを断面が逆Ｖ字状になるように折り曲げてマチを形成し、該底面部フィルムの両端を前記前後面フィルム部の両縁間に挟んで前記両側縁リブ部が形成されている請求項１に記載の非常時用汚物収容袋。
【請求項３】
前記開口部形成材は、発泡合成樹脂板を前記筒状胴部内周長さに合わせた長さに形成し、これを２つ折りにした状態で前記筒状胴部開口部内に挿入され、前記気液密ファスナーと同じ向きで前記筒状胴部の開口部内面に固定してなる請求項１又は２に記載の非常時用汚物収容袋。
【考案の詳細な説明】
【技術分野】
【０００１】
本考案は、例えば自動車内や非常袋に常備し、緊急時や災害時に大小便や嘔吐物を収容ための非常時用汚物収容袋に関する。
【背景技術】
【０００２】
従来、自動車による長距離ドライブにおいて、緊急時に車内での排便に使用する携帯トイレや、震災等の災害によって上下水道が機能停止し、常設のトイレが使用不能となった異常事態時に備えて常備する非常時用トイレが提案されている。
【０００３】
この種の従来の非常時用トイレは、汚物を収容する袋と、収容した汚物を吸水材によってゲル化させ、一時的保管を容易にしたものが一般的であり、排泄時における袋内への落下を容易にしたものや、袋内に収容した汚物が流れ出難くなるように工夫したものがある（例えば特許文献１，２）。
【先行技術文献】
【特許文献】
【０００４】
【特許文献１】特開２００３−２６５３５６号公報
【特許文献２】実用新案登録第３１７４３８３号公報
【考案の概要】
【考案が解決しようとする課題】
【０００５】
しかしながら、上述の如き従来の非常時用トイレでは、収容した汚物の漏出や、一時保管に便利なように、逆流防止や汚物を高吸水性樹脂粉によってゲル化するようにしているが、汚物が流動不能な状態にゲル化するまでには吸水性樹脂によって異なるが、何れも瞬時に流動性がなくなるものではなく、一定の時間を要している。
【０００６】
このため、排便や嘔吐に供した後、流動不能にゲル化するまでの間、漏れ出ないように手持ちの状態で姿勢を維持させておかなければならない。このため特に排便後において、ゲル化するまで身繕いができないという問題がある。
【０００７】
同様に嘔吐後においては、嘔吐によって不快な状態となった人体の口部のすすぎや拭き取り等の始末も、嘔吐物のゲル化が完了するまでできないという問題がある。
【０００８】
本考案は、このような従来の問題に鑑み、排便や嘔吐の直後に、ゲル化を待つことなく両手で身繕いや拭き取り等の作業が可能であり、且つ汚物が外部に飛散することを防止しつつ扱うことができる非常時用汚物収容袋の提供を目的としてなされたものである。
【課題を解決するための手段】
【０００９】
上述の如き従来の問題を解決するための請求項1に記載の考案の特徴は、合成樹脂フィルムにより筒状に形成された筒状胴部を有し、  該筒状胴部は、前面部フィルムと後面部フィルムを前後に重ねて両側縁を所定の幅だけシールすることにより一対の側縁リブ部を一体に有し、前記全後面部フィルムの下端部内には、前記筒状胴部内の底部を閉鎖するとともに該底部が拡開するマチを形成した底面部フィルムを有し、前記前後面部フィルムの下端縁には、前記底面部フィルムと一体にシールすることによって所定幅の底縁リブ部が一体に形成され、前記筒状胴部の上端開口部内には、該開口部を気液密に閉鎖する気液密性ファスナーを備え、且つ、前記筒状胴部の開口部内には前記気液密性ファスナーより外側に、汚物収容時に開口部を所定形状に維持させるための開口部形成材を一体に備え、前記筒状胴部内に流動性のある汚物が収容されることによって底面部フィルムのマチ部分及び筒状胴部内が広がり、前記側縁部シール部及び底縁リブ部の強度によって自立する非常時用汚物収容袋にある。
【００１０】
請求項２に記載の発明の特徴は、請求項１の構成に加え、前記筒状胴部は、前記前後面部フィルム間に底面部フィルムが連続配置に備えられた帯状フィルム材によって形成され、前記前後面部フィルムの間にある底面部フィルムを断面が逆Ｖ字状になるように折り曲げてマチを形成し、該底面部フィルムの両端を前記前後面フィルム部の両縁間に挟んで前記両側縁リブ部が形成されていることにある。
【００１１】
請求項３に記載の発明の特徴は、請求項１又は２の構成に加え、前記開口部形成材は、発泡合成樹脂板を前記筒状胴部内周長さに合わせた長さに形成し、これを２つ折りにした状態で前記筒状胴部開口部内に挿入され、前記気液密ファスナーと同じ向きで前記筒状胴部の開口部内面に固定していることにある。
【考案の効果】
【００１２】
本考案に係る非常時用汚物収容袋は、請求項1に記載のように、合成樹脂フィルムにより筒状に形成された筒状胴部を有し、該筒状胴部は、前面部フィルムと後面部フィルムを前後に重ねて両側縁を所定の幅だけシールすることにより一対の側縁リブ部を一体に有し、前記全後面部フィルムの下端部内には、前記筒状胴部内の底部を閉鎖するとともに該底部が拡開するマチを形成した底面部フィルムを有し、前記前後面部フィルムの下端縁には、前記底面部フィルムと一体にシールすることによって所定幅の底縁リブ部が一体に形成され、前記筒状胴部内に流動性のある汚物が収容されることによって底面部フィルムのマチ部分及び筒状胴部内が広がり、前記側縁部シール部及び底縁リブ部の強度によって自立するようにしていることにより、用便や嘔吐物の投入に使用した直後の汚物収容処理袋を、そのファスナーを閉じる作業の前に、床上などに自立させて置くことができ、衣服の整え等の身繕いをした後に、ファスナーによる密閉作業ができる。
【００１３】
また、前記筒状胴部の上端開口部内には、該開口部を気液密に閉鎖する気液密性ファスナーを備えていることにより、使用後に汚物を収容して密閉することができ、内容物の漏れ出しが完全に防止でき、匂いの拡散も防止できる。
【００１４】
更に、前記筒状胴部の開口部内には前記気液密性ファスナーより外側に、汚物収容時に開口部を所定形状に維持させるための開口部形成材を一体に備えていることにより、口からの嘔吐や女性の小用時に、開口部形状を安定化させることができ、使用時に汚物を外部に飛散させることなく袋内に収容することができる。
【００１５】
本考案は、請求項２に記載のように、前記筒状胴部は、前記前後面部フィルム間に底面部フィルムが連続配置に備えられた帯状フィルム材によって形成され、前記前後面部フィルムの間にある底面部フィルムを断面が逆Ｖ字状になるように折り曲げてマチを形成し、該底面部フィルムの両端を前記前後面フィルム部の両縁間に挟んで前記両側縁リブ部が形成されていることにより、自立する形状への成形が容易となる。
【００１６】
本発明は請求項３に記載のように、前記開口部形成材は、発泡合成樹脂板を前記筒状胴部内周長さに合わせた長さに形成し、これを２つ折りにした状態で前記筒状胴部開口部内に挿入され、前記気液密ファスナーと同じ向きで前記筒状胴部の開口部内面に固定していることにより、保形性の良い開口部形成材を容易に設置することができる。
【図面の簡単な説明】
【００１７】
【図１】本考案に係る非常時用汚物収容袋の一例を示す斜視図である。
【図２】同縦断面図である。
【図３】同ファスナー部分を示す拡大断面図である。
【図４】同汚物収容処理袋の拡開状態を示す斜視図である。
【考案を実施するための形態】
【００１８】
次に、本考案に係る非常時用汚物収容袋の実施の形態を図に示した実施例に基づいて説明する。
【００１９】
非常時用汚物収容袋１は、筒状に広がる筒状胴部１１を有している。この筒状胴部１１は、図１、図２に示すように二重配置の前後面部フィルム１２，１３をその側縁部間を所定幅だけシールした側縁リブ部１４，１４によって一体化させて筒状に形成している。
【００２０】
非常時用汚物収容袋１の底部は、筒状胴部１１の下端を閉鎖する底面部フィルム１５によって構成されている。底面部フィルム１５は、逆Ｖ型に折りたたんだ状態で筒状胴部の前後面部フィルム１２，１３間に挟み込み、折り線の長さ方向の両端を前記側縁リブ１４，１４内に入れて溶着するとともに、逆Ｖ型の両端縁部を筒状胴部１１の前後面フィルム１２，１３の下縁部とともに所定幅だけシールし、非常時用汚物収容袋１の底部にマチ１６が形成されるように折り畳まれた状態となっている。
【００２１】
筒状胴部１１の下端縁には、底面部フィルム１５と筒状胴部１１の前後面フィルム１２，１３とをシールすることにより週方向に連続した状態に形成された底縁リブ部１７を備えている。
【００２２】
尚、この例では、前面部フィルム１２，底面部フィルム１５、後面部フィルム１３を連続した1枚のフィルム材をもって構成させ、これをマチ１６が形成されるように底面部フィルムを折りたたんで全後面部フィルム２３，１３間に挟み込ませ、この状態で加熱溶着によってシールすることにより前述した各両側縁リブ１４，１４及び底縁リブ１７を形成することにより袋状に形成している。
【００２３】
前後面フィルム１２，１３及び底面部フィルム１５を構成する合成樹脂フィルム材料としては、例として次の積層フィルムが使用できる。
ＯＮ１５／ＤＬ／ＣＰＰ２０／ＤＬ／ＰＥＦ１３０
ＰＥＴ１２／ＤＬ／ＯＮ１５／ＤＬ／ＰＥＦ８０
ＯＮ１５／ＤＬ／ＰＥＦ１３０
ＶＭＯＮ１５／ＤＬ／ＰＥＦ１３０
ＯＮ１５／ＤＬ／ＰＶＡ１２／ＤＬ／ＰＥＦ１２０２）
【００２４】
ここで、各数字はフィルム厚（μｍ）を表し、アルファベツト文字は次の素材を意味している。
ＯＮ ：延伸ナイロン
ＰＥＦ ：ポリエチレンフィルム
ＯＰＰ ：延伸ポリプロピレン
ＰＥＴ ：ポリエチレンテレフタレート
ＬＬＤＰＥＦ ：直鎖状低密度ポリエチレンフィルム
ＤＬ ：ドライラミネート接着剤層
ＶＭ ：アルミナあるいはシリカ蒸着
【００２５】
筒状胴部１１の開口部内には、該開口部を開閉自在な気液密性ファスナー２０が一体に備えられている。この気液密性ファスナー２０としては、図３に示すように二重に配置した２枚の基板部２１，２２の対向面の一方に２条の突起２３，２３により、その間が蟻溝状に奥側が広がった凹溝２４が形成され、他方面に前記凹溝内２４に押し込まれる先端部膨らんだ断面形状の突条２５を一体に有し、凹溝内２４に突状２５を押し込んで嵌め合せることによって気液密状に閉鎖することができるレールファスナーが使用されている。
【００２６】
筒状胴部１１の開口縁部上端には、非常時用汚物収容袋１の使用時に開口部を所定形状に維持させるための開口部形成材３０が一体に備えられている。この開口部形成材３０は、一例として発泡合成樹脂板が使用され、これを２つ折りにして筒状胴部１１の前記ファスナー２０より外側内に挿入し、開口部の全周に亘って前後フィルム１２，１３に固着している。
【００２７】
この開口部形成材３０は、ファスナー２０を開いた状態で二重に折りたたまれた状態の両端を互いに近付ける側に押すことにより、中央部分が開き所定の開口形状が維持されるようになっている。
【００２８】
このように構成される非常時用汚物収容袋１は、ファスナー２０を開き、内部に小便や嘔吐物を等の流動性のある収容物を入れると、その重さによって筒状胴部１１が膨らむことにより両側縁リブ部１４，１４が縦向きの補強リブを構成して筒状胴部１１が折れ曲がらない直状態が維持され、同時に底面部フィルム１５のマチ１６が開き、底部周囲の底縁リブ部１７が縦向き状態を維持して広がり、底縁がリング状に広がった形状に維持され、自立可能な状態となる。
【００２９】
この非常時用汚物収容袋の使用に際しては、別途に気液密性のフィルムにより密封状態にしたパックを備えておき、小便や嘔吐物等の汚物を収容した後パックの内容物を非常時用汚物収容袋１内の小便や嘔吐物等の汚物上に散布するように投入することが好ましい。
【００３０】
二酸化塩素発生剤としては亜塩素酸ナトリウムとジクロロイソシアヌル酸ナトリウムの混合物が使用できる。
【００３１】
使用時には、ファスナー２０を開き、開口部形成材３０を使用者に合わせて適宜の広がり状態に広げ、その開口部より、小便或は嘔吐物等の汚物を落とし込む。この時、前述したように非常時用汚物収容袋１は、落とし込まれた汚物により底部が膨らみ自立可能な状態となり、床に仮置きした状態で衣服の整え等の身繕い作業ができる。
【００３２】
非常時用汚物収容袋１内に落とし込まれた汚物に、高吸水性樹脂材及び二酸化塩素発生剤を散布することにより、汚物に含まれている水分が高吸水性樹脂材に吸収されるとともに、汚物の水成分が亜塩素酸ナトリウムとジクロロイソシアヌル酸ナトリウムの混合物に反応して二酸化塩素を発生し、これによってウィルス類を不活性化させる。更に、臭気成分は二酸化塩素による酸化分解によって拡散が防止される。
【００３３】
このようにして汚物が処理されて収容された非常時用汚物収容袋１を、使用した使い捨て手袋その他の汚染物と共に別の汚染物収容袋に入れて、廃棄又は廃棄のために保管する。
【符号の説明】
【００３４】
１  汚物収容処理袋
２  汚物処理材パック
３  包装袋
４  使い捨て手袋
５  汚染物収容袋
６  密封包装袋
７  合成樹脂フィルム
８  アルミニウム層
１１  筒状胴部
１２  前面部フィルム
１３  後面部フィルム
１４  側縁リブ部
１５  底面部フィルム
１６  マチ
１７  底縁リブ部
２０  気液密性ファスナー
２１，２２  基板部
２３  突起
２４  凹溝
２５  突条
３０  開口部形成材
【図１】
0003190729.tif 000003
【図２】
0003190729.tif 000004
【図３】
0003190729.tif 000005
【図４】
0003190729.tif 000006